(57)【要約】【課題】対向装置との間で同期転送モード信号の送受信に障害が生じた場合であっても、装置を制御又は監視するための様々な装置間情報を確実に通信可能にする無線中継装置、通信方法を提供する。【解決手段】ＳＤＨ伝送システムにおいて、無線中継装置は、対向する他の装置との間で送受信される装置間情報を、ＳＯＨを含むＳＴＭ１信号に対して付加されるＲＦＣＯＨに多重化するようにする。【選択図】図１
2010157883.tif 000002
【特許請求の範囲】
【請求項１】
同期ディジタルハイアラーキに対応した無線中継装置であって、
対向する他の装置との間で送受信される装置間情報を、第１オーバヘッドを含む同期転送モード信号に付加される第２オーバヘッド、に多重化する多重化部と、
多重化された前記装置間情報を前記他の装置との間で送受信する送受信部と、
を備えた無線中継装置。
【請求項２】
前記装置間情報を前記第１オーバヘッドに挿入された状態で送受信する第１通信形態、又は前記装置間情報を前記第２オーバヘッドに多重化された状態で送受信する第２通信形態、のいずれかを選択する選択部を備えたことを特徴とする、
請求項１に記載された無線中継装置。
【請求項３】
前記第１通信形態による送受信のための第１通信インタフェースを備える第１ユニットに対し、前記第２通信形態による送受信のための第２通信インタフェースを備える第２ユニットが着脱可能に設けられ、
前記選択部は、前記第２ユニットが前記第１ユニットに装着されたことが検出されたときに、前記第２通信形態を選択することを特徴とする、
請求項２に記載された無線中継装置。
【請求項４】
前記選択部は、同期転送モード信号の通信異常が検出されたときに、前記第２通信形態を選択することを特徴とする、
請求項２に記載された無線中継装置。
【請求項５】
同期ディジタルハイアラーキに対応した無線中継装置による通信方法であって、
対向する他の装置との間で送受信される装置間情報を、第１オーバヘッドを含む同期転送モード信号に付加される第２オーバヘッド、に多重化するステップと、
多重化された前記装置間情報を前記他の装置との間で送受信するステップと、
を備えた通信方法。
【請求項６】
前記無線中継装置の内、前記装置間情報を前記第１オーバヘッドに挿入された状態で送受信するための第１ユニットにより、前記装置間情報を送受信するステップと、
前記無線中継装置の内、前記装置間情報を前記第２オーバヘッドに多重化された状態で送受信するための第２ユニットが前記第１ユニットに装着されたことを検出するステップと、
前記検出により、前記装置間情報を第２ユニットにより送受信するように切り替えるステップと、
を備えたことを特徴とする、請求項５に記載された通信方法。
【請求項７】
同期転送モード信号が正常であるときに、前記装置間情報を前記第１オーバヘッドに挿入された状態で送受信するステップと、
同期転送モード信号の通信異常を検出するステップと、
同期転送モード信号の通信異常の検出により、前記装置間情報を前記第２オーバヘッドに多重化された状態で送受信するように切り替えるステップと、
を備えたことを特徴とする、請求項５に記載された通信方法。
【発明の詳細な説明】
【技術分野】
【０００１】
本発明は、ＳＤＨ(Synchronous Digital Hierarchy；同期ディジタルハイアラーキ)対応の無線中継装置の通信技術に関する。
【背景技術】
【０００２】
近年、各国でＳＤＨ対応のディジタル多重システム（以下、ＳＤＨ伝送システム）の構築が進められている。特に、山間部、又は海峡を含む地理的環境においては、伝送網の構築が比較的容易なＳＤＨ対応の無線中継装置の需要が高まっている。
【０００３】
一般にＳＤＨ伝送システムでは、標準化されたＳＴＭ(Synchronous Transfer Mode；同期転送モード)フレームフォーマットによりディジタル信号が伝送される。この場合、例えばＳＴＭ−１（１５５．５２Ｍｂｐｓ）フレーム（同期転送モード信号）は、セクションオーバヘッド（以下、ＳＯＨ：Section Overhead）とペイロードとから構成される。そして、ＳＤＨ伝送システムの無線区間に設けられる対向した無線中継装置間では、ＳＴＭ−１フレームに無線伝送オーバヘッド（以下、ＲＦＣＯＨ；Radio Frame Complementary Overhead）が付加されて伝送される。
【０００４】
ＳＤＨ伝送システムでは、対向した無線中継装置間で、装置を制御又は監視するための様々な装置間情報（回線切替の制御情報、オーダワイヤ情報、ＤＣＣ(Data Communication Channel)情報、トレース情報、エラー情報等）の送受信を行っている。従来、これらの装置間情報は、ＳＯＨ及びＲＦＣＯＨ内の固定領域に配置されている。例えば、オーバワイヤ情報はＳＯＨのＥ１バイトに配置され、ＤＣＣ情報はＳＯＨのＤ１〜Ｄ３バイトに配置される。
【０００５】
ＳＤＨ伝送システムについては、例えば以下の特許文献１，２にも開示されている。
【特許文献１】特開平７−１０７０１３号公報
【特許文献２】特開平９−１３５２２９号公報
【発明の開示】
【発明が解決しようとする課題】
【０００６】
ＳＤＨ伝送システムでは、本来は単一のマスタクロック源によって網内の複数の装置を同期させる方式を採ってきたが、近年、例えば発展途上国においては、安価に伝送網を構築するためにマスタクロック源を設置しない場合がある。かかる場合に、対向した無線中継装置間の通信においてフレームロスが発生する可能性があるという問題がある。このような問題が生ずると、装置間情報の授受が行われないため、主回線を補助回線に切り替えるための制御ができない、及び／又は、一方の無線中継装置から対向装置に対して遠隔的にアクセスできないことになり、無線中継装置のメンテナンス作業に支障を来たす。
【０００７】
上記問題について、図７及び図８を参照して説明する。図７は、マスタクロック源を備えたＳＤＨ伝送システムを示す図である。図８は、マスタクロック源を備えていないＳＤＨ伝送システムを示す図である。各図では、有線区間において無線中継装置と多重装置の間で通信が行われ、無線区間において対向する無線中継装置同士で通信が行われる。
図７に示すＳＤＨ伝送システムでは、マスタクロック源１が設けられ、マスタクロック源１で生成されるクロックは多重装置４の基準クロックとなる。この基準クロックに同期して生成される上り（又は下り）回線の信号（ＳＴＭ−１フレーム）内の所定のデータに基づいて、他の装置（無線中継装置２、無線中継装置３、多重装置５）では、クロック処理部が基準クロックを再生する。これにより、図７に示すＳＤＨ伝送システムでは、伝送網内のすべての装置間で共通のクロックに基づく同期（いわゆる網内同期）が実現する。
【０００８】
一方、図８に示すＳＤＨ伝送システムでは、マスタクロック源が設けられていないため、システム内の上り又は下り回線の各々の信号（ＳＴＭ−１フレーム）は、ＩＴＵ−Ｔ(International Telecommunication Union Telecommunication Standardization Sector)で規定されている無線周波数偏差の許容最大偏差±４．６ｐｐｍの影響を受けうる。この偏差が上り回線、下り回線共に発生した場合には、対向する無線中継装置間で最大９．２ｐｐｍの偏差が生じ、フレームロスが発生する。
【０００９】
上述した観点に鑑み、本発明の目的は、対向装置との間で同期転送モード信号の送受信に障害が生じた場合に、装置を制御又は監視するための様々な装置間情報を通信できる可能性を高めた無線中継装置、通信方法を提供することにある。
【課題を解決するための手段】
【００１０】
この無線中継装置及び通信方法は、ＳＤＨに対応しており、対向する他の装置との間で送受信される装置間情報を、第１オーバヘッドを含む同期転送モード信号に付加される第２オーバヘッド、に多重化するようにしたものである。
好ましくは、上記無線中継装置及び通信方法は、装置間情報を第１オーバヘッドに挿入された状態で送受信する第１通信形態、又は装置間情報を第２オーバヘッドに多重化された状態で送受信する第２通信形態、のいずれかを選択するように構成される。
【発明の効果】
【００１１】
本発明によれば、対向装置との間で同期転送モード信号の送受信に障害が生じた場合に、装置を制御又は監視するための様々な装置間情報を通信できる可能性を高めることができる。
【発明を実施するための最良の形態】
【００１２】
（１）第１の実施形態
（１−１）ＳＤＨ伝送システム
以下、本発明の無線中継装置の第１の実施形態について説明する。実施形態の無線中継装置は、マスタクロック源を持たないＳＤＨ伝送網において、無線区間の両端に配置される多重無線中継装置である。この無線中継装置を含むＳＤＨ伝送システムと無線中継装置間の通信方法について、図１を参照して説明する。図１は、この実施形態において、無線中継装置を含むＳＤＨ伝送システムの概略の構成と通信方法を説明するための図である。
【００１３】
図１に示すＳＤＨ伝送システムでは、無線区間において無線中継装置１０と無線中継装置１１とが対向している。無線中継装置１０は、信号処理部２０と監視制御部３０を備え、無線中継装置１１は、信号処理部２１と監視制御部３１を備える。各無線中継装置における信号処理部（送受信部）は、無線中継装置間の上り又は下りの信号の送受信を行う。
【００１４】
図１に示すように、このＳＤＨ伝送システムでは、無線区間における無線中継装置間の信号の送受信は、標準化されたＳＴＭフレームフォーマットのＳＴＭ−１フレーム（１５５．５２Ｍｂｐｓ）に１５．５５２Ｍｂｐｓの無線伝送オーバヘッド（以下、ＲＦＣＯＨ；Radio Frame Complementary Overhead）が付加されて行われる。このＳＴＭ−１フレームは、セクションオーバヘッド（以下、ＳＯＨ：Section Overhead）とペイロードとから構成される。
なお、ＳＯＨ、ＲＦＣＯＨは、それぞれ第１オーバヘッド、第２オーバヘッドの一実施形態である。
【００１５】
このＳＤＨ伝送システムでは、無線中継装置間で送受信される装置間情報が外部機器（図示しない）から与えられる。そして、各監視制御部は、この装置間情報をＲＦＣＯＨ内にオプション帯域として確保されている２０４８Ｋｂｐｓ（２．０４８Ｍｂｐｓ）の通信信号（以下、適宜「ＷＳ」又は「ＷＳ信号」と略記する。）にマッピングして生成するとともに、受信した通信信号から装置間情報を抽出する。図１に示すように、このＳＤＨ伝送システムでは、無線中継装置間で、通信信号が冗長構成（ＷＳ＿Ｘ信号，ＷＳ＿Ｙ信号）で送受信される。
すなわち、無線中継装置２０の無線送信部２３は、上りのＳＴＭ−１フレームに対して、ＷＳ＿Ｘ信号及びＷＳ＿Ｙ信号を含むＲＦＣＯＨを付加して無線中継装置２１へ送信する。そして、このＳＴＭ−１フレームとＲＦＣＯＨが無線中継装置２１の無線受信部２６で受信される。同様に、無線中継装置２１の無線送信部２７は、下りのＳＴＭ−１フレームに対して、ＷＳ＿Ｘ信号及びＷＳ＿Ｙ信号を含むＲＦＣＯＨを付加して無線中継装置２０へ送信する。そして、このＳＴＭ−１フレームとＲＦＣＯＨが無線中継装置２０の無線受信部２４で受信される。
【００１６】
上述したように、図１に示すＳＤＨ伝送システムでは、マスタクロック源が設けられていないため、システム内の上り又は下り回線の各々の信号（ＳＴＭ−１フレーム）は、ＩＴＵ−Ｔで規定されている無線周波数偏差の許容最大偏差±４．６ｐｐｍの影響を受けうる。この偏差が上り回線、下り回線共に発生した場合には、対向する無線中継装置間で最大９．２ｐｐｍの偏差が生じる。したがって、仮に、装置間情報をＳＴＭ−１フレームのＳＯＨに挿入したとすれば、ＳＴＭ−１フレームのロスにより装置間で装置間情報の授受ができなくなる虞がある。そのため、本実施形態においては、装置間情報をＲＦＣＯＨ内に確保されている通信信号（ＷＳ信号）にマッピングするようにしている。なお、ＲＦＣＯＨ内に確保されている通信信号の通信容量（２０４８Ｋｂｐｓ）を考慮して、装置間情報の中でも重要なものに限定して通信信号にマッピングするようにしてもよい。
【００１７】
なお、無線回線上では、通信信号（ＷＳ信号）に対して２０４８．２０４８Ｋｂｐｓ通信容量が確保されている。そして、一方の無線中継装置の監視制御部が２０４８ＫｂｐｓのＷＳ信号を生成し、この２０４８ＫｂｐｓのＷＳ信号に０．２０４８Ｋｂｐｓ（＝１００ｐｐｍ）に相当するダミービットを挿入（スタッフ処理）して、２０４８．２０４８ＫｂｐｓのＷＳ信号を無線送信部から送信する。他方の無線中継装置では、無線受信部が２０４８．２０４８ＫｂｐｓのＷＳ信号を受信した後、ダミービットを除去（デスタッフ処理）して、監視制御部が２０４８ＫｂｐｓのＷＳ信号を取得する。
以下では、ＷＳ信号の通信容量に関する記述は、主として、監視制御部内における通信容量である２０４８Ｋｂｐｓを基準として行う。
【００１８】
（１−２）通信信号（ＷＳ信号）の構成
次に、図２を参照してＷＳ信号の構成について説明する。図２は、通信信号（ＷＳ信号）の構成を示すとともに、ＷＳ信号に対する装置間情報のマッピング方法を示す図である。なお、冗長構成のＷＳ＿Ｘ信号，ＷＳ＿Ｙ信号はともに、図２に示すＷＳ信号と同様の構成を備えている。
【００１９】
図２では、装置間情報として、（ｄ）ＲＳＣ(Radio Service Channel)信号、（ｅ）ＯＷＥ１信号（オーバワイヤ信号のＥ１ビット）、（ｆ）ＤＣＣ(Data Communication Channel)信号が、（ｂ）２ＭＣＬＫ（２．０４８ＭＨｚのクロック）に基づいて（ａ）ＷＳ信号にマッピングされる例を示している。すなわち、ＲＳＣ信号（８３２Ｋｂｐｓ）、ＯＷＥ１信号（６４Ｋｂｐｓ）、ＤＣＣ信号（１９２Ｋｂｐｓ）が、２．０４８ＭｂｐｓのＷＳ信号のフレームに多重化される例を示している。
具体的には、図２（ａ）に示す例では、ＷＳ信号の１フレーム（２５６クロック（ＣＬＫ）相当）は、１６クロック相当の所定のフレームパターンビットの後、順に、１０４クロック相当のＲＳＣ信号、８クロック相当のＯＷＥ１信号、２４クロック相当のＤＣＣ信号、１０４クロック相当の空き領域（すべて０）で構成される。本実施形態の無線中継装置は、このＷＳ信号をＲＦＣＯＨに組み込み、対向する他の無線中継装置と間で送受信を行う。このとき、図１に示すように、ＷＳ信号は、監視制御部内の送信用クロック源のクロックに基づくタイミングで送出される。
【００２０】
図２に示したように、本実施形態の無線中継装置では、対向する他の無線中継装置との間で送受信される装置間情報を、ＲＦＣＯＨに設けられる通信信号（ＷＳ信号）に多重化するようにしている。したがって、仮に、対向する無線中継装置同士の無線周波数で許容される最大偏差により同期転送モード信号（ＳＴＭ−１フレーム）のフレームを検出できなかった（フレームロス）としても、この無線中継装置では、同期転送モード信号のフレームロスの影響を受けずに、装置間情報の送受信を行うことができる。
【００２１】
図２において、装置間情報としてのＲＳＣ信号（８３２Ｋｂｐｓ）、ＯＷＥ１信号（６４Ｋｂｐｓ）、ＤＣＣ信号（１９２Ｋｂｐｓ）をすべて含めてもＷＳ信号の通信容量（２０４８Ｋｂｐｓ）の約半分程度であり、ＷＳ信号の通信容量に対して十分に余裕がある。そのため、対向する無線中継装置同士の無線周波数で許容される最大偏差が生じた場合であっても、ＷＳ信号にマッピングされた装置間情報を装置間通信で失う可能性は非常に低い。
さらに言えば、ＷＳ信号は、上述したスタッフ／デスタッフ処理により、帯域の１００ｐｐｍの偏差に対する耐性（受信側での補正能力）を備えており、監視制御部内でのＷＳ信号の通信容量（２０４８Ｋｂｐｓ）に対して、図２に例示したものよりも多くの装置間情報を多重化したとしても、装置間通信で装置間情報を失う可能性は非常に低い。
【００２２】
以上説明したように、本実施形態の無線中継装置では、対向する他の無線中継装置との間で、装置間通信を制御又は監視するための装置間情報を、同期転送モード信号であるＳＴＭ−１フレームのＳＯＨではなく、ＲＦＣＯＨ内の通信信号にマッピングして送受信するようにする。これにより、マスタクロック源を持たないＳＤＨ伝送システムに本実施形態の無線中継装置が設けられたとしても、無線周波数偏差に伴う同期転送モード信号の偏差の影響を受けずに、対向する他の無線中継装置との間で装置間情報を確実に送受信することができる。
【００２３】
（２）第２の実施形態
次に無線中継装置の第２の実施形態について説明する。なお、以降の各実施形態において、無線中継装置が設けられるＳＤＨ伝送システムは図１に示したものと同様である。また、以降の各実施形態においても、装置間通信を制御又は監視するための装置間情報として、ＲＳＣ信号、ＯＷＥ１信号、ＤＣＣ信号をＷＳ信号にマッピングする場合（図２）を例として説明する。
【００２４】
本実施形態の無線中継装置では、装置間情報をＳＴＭ−１フレーム（同期転送モード信号）のＳＯＨに挿入された状態で送受信する第１通信形態、又は装置間情報をＲＦＣＯＨ内のＷＳ信号にマッピングして送受信する第２通信形態、のいずれかを選択する選択部が、監視制御盤内に設けられる。
以下、図３及び図４を参照し、本実施形態の無線中継装置１０の構成について、特に監視制御部３０に着目して説明する。図３は、無線中継装置１０の要部を示すブロック図である。図４は、無線中継装置１０の監視制御盤３２の構成例を示す図である。
【００２５】
（２−１）無線中継装置の構成
先ず図３を参照すると、監視制御部３０は、監視制御盤３２と中継通信補助盤３４からなる。監視制御盤３２は、シリアルインタフェース（シリアルＩ／Ｆ）３６、ＭＵＸ／ＤＭＵＸ部５０（多重化部）、選択部６０、監視制御処理部９０、ＲＳＣ(Radio Service Channel)処理部９２、ＲＰＳ(Radio Protection Switch)処理部９３、ＶＦ／ＤＧＴＬ処理部９４、ＯＷＥ１処理部９５、ハブ（ＨＵＢ）９６、ＬＡＮ(Local Area Network)／ＷＡＮ(Wide Area Network)処理部９７を備える。中継通信補助盤３４は、Ｂ−Ｕ／Ｕ−Ｂ変換部７１、クロック源７２、ＰＬＬ(Phase Locked Loop)７３を備える。
【００２６】
図３において、ＯＷＥ１処理部９５は、外部装置（図示せず）と通信可能に接続されるとともに、選択部６０に対するＯＷＥ１信号の入出力を行う。ＬＡＮ／ＷＡＮ処理部９７は、ハブ９６を経由して外部のＬＡＮネットワーク機器又はＷＡＮネットワーク機器（図示せず）と通信可能に接続されるとともに、選択部６０に対するＤＣＣ信号の入出力を行う。ＲＳＣ処理部９２は、装置間の切替情報を処理するＲＰＳ処理部９３と、ディジタルオーダワイヤ信号を処理するＶＦ／ＤＧＴＬ処理部９４とに接続され、選択部６０に対するＲＳＣ信号（ＲＳＣ＿Ｘ信号，ＲＳＣ＿Ｙ信号の冗長構成）の入出力を行う。
【００２７】
選択部６０は、ＲＳＣ処理部９２、ＯＷＥ１処理部９５、ＬＡＮ／ＷＡＮ処理部９７からそれぞれ、装置間情報としてのＲＳＣ＿Ｘ信号、ＲＳＣ＿Ｙ信号、ＯＷＥ１信号、ＤＣＣ信号を入力し、これらの装置間情報を送信する場合に、監視制御処理部９０の指令に応じて、シリアルインタフェース３６、又はＭＵＸ／ＤＭＵＸ部５０のいずれかへ装置間情報を出力する。また、選択部６０は、装置間情報としてのＲＳＣ＿Ｘ信号、ＲＳＣ＿Ｙ信号、ＯＷＥ１信号、ＤＣＣ信号を受信する場合に、シリアルインタフェース３６、又はＭＵＸ／ＤＭＵＸ部５０のいずれかから装置間情報を入力し、ＲＳＣ処理部９２、ＯＷＥ１処理部９５、ＬＡＮ／ＷＡＮ処理部９７へ出力する。
選択部６０の構成例については、図４を参照して後述する。
【００２８】
ＭＵＸ／ＤＭＵＸ部５０は、選択部６０からＲＳＣ＿Ｘ信号、ＲＳＣ＿Ｙ信号、ＯＷＥ１信号、ＤＣＣ信号を入力した場合、これらの信号を多重化して２０４８ＫｂｐｓのＷＳ信号（ＷＳ＿Ｘ，ＷＳ＿Ｙ）を生成し、中継通信補助盤３４へ出力する。また、ＭＵＸ／ＤＭＵＸ部５０は、中継通信補助盤３４からＷＳ信号（ＷＳ＿Ｘ，ＷＳ＿Ｙ）を入力した場合、ＷＳ信号を分離して、ＲＳＣ＿Ｘ信号、ＲＳＣ＿Ｙ信号、ＯＷＥ１信号、ＤＣＣ信号を抽出し、選択部６０へ出力する。
ＭＵＸ／ＤＭＵＸ部５０の構成例については、図４を参照して後述する。
【００２９】
監視制御処理部９０は、主としてマイクロコントローラにより構成され、監視制御盤３２全体の制御処理を行う。例えば、監視制御処理部９０は、選択部６０に対して選択動作に関する指令を送出する。
【００３０】
中継通信補助盤３４において、Ｂ−Ｕ／Ｕ−Ｂ変換部７１は、Ｂ−Ｕ変換器８１及びＵ−Ｂ変換器８２を備える（図４参照）。Ｂ−Ｕ／Ｕ−Ｂ変換部７１は、受信したＷＳ信号を、無線区間に適した伝送符合であるバイポーラ符合から、搬送区間に適した伝送符合であるユニポーラ符合へ変換（Ｂ−Ｕ変換）するとともに、送信対象のＷＳ信号をユニポーラ符合からバイポーラ符合へ変換（Ｕ−Ｂ変換）する。
クロック源７２は、ＷＳ信号を送出するときの基準となるクロックを生成するクロック源であり、ＷＳ信号を生成する際の基準周波数である２．０４８ＭＨｚよりも十分に高い周波数（例えば７９ＭＨｚ）のクロックを生成するように構成される。ＰＬＬ７３は、受信処理を行うために受信信号に対する位相同期を行う。
【００３１】
シリアルインタフェース３６は、信号処理部２０との間で、０系／１系冗長構成のＳＴＭ−１フレームの信号の入出力処理を行う。シリアルインタフェース３６は、信号処理部２０へＳＴＭ−１フレームを出力する場合、選択部６０からのＯＷＥ１信号をＳＯＨのＥ１バイトに配置し、選択部６０からのＤＣＣ信号をＳＯＨのＤ１〜Ｄ３バイトに配置するようにして多重化する。一方、シリアルインタフェース３６は、信号処理部２０からＳＴＭ−１フレームを入力する場合、ＳＴＭ−１フレームを分離して、ＳＯＨからＯＷＥ１信号及びＤＣＣ信号を抽出して選択部６０へ出力する。
また、シリアルインタフェース３６は、信号処理部２０との間で、ＲＳＣ信号の冗長信号（ＲＳＣ＿Ｘ信号、ＲＳＣ＿Ｙ信号）の入出力処理を行う。このＲＳＣの冗長信号は、０系／１系冗長構成のＳＴＭ−１フレームに付加されるＲＦＣＯＨに対応して設けられている。ＲＳＣ信号は、信号処理部２０においてＲＦＣＯＨのＲＳＣ(Radio Service Channel)に組み込まれる。
【００３２】
上述した構成により、監視制御部３０では、第１通信形態を適用する場合、シリアルインタフェース３６（第１通信インタフェース）経由で、装置間情報（ＯＷＥ１信号、ＤＣＣ信号）をＳＴＭ−１フレーム（同期転送モード信号）のＳＯＨに挿入された状態で、信号処理部２０との間で信号の入出力処理を行う。さらに、第１通信形態を適用する場合には、ＲＳＣ信号は、信号処理部２０においてＲＦＣＯＨのＲＳＣに組み込まれる。
一方、監視制御部３０では、第２通信形態を適用する場合、中継通信補助盤３４（第２通信インタフェース）経由で、信号処理部２０との間で、装置間情報（ＯＷＥ１信号、ＤＣＣ信号、ＲＳＣ信号）が多重化されたＷＳ信号の入出力処理を行う。このＷＳ信号は、信号処理部２０においてＲＦＣＯＨに組み込まれる。
【００３３】
（２−２）ＭＵＸ／ＤＭＵＸ部及び選択部の構成例
次に図４を参照して、ＭＵＸ／ＤＭＵＸ部５０及び選択部６０の構成例について説明する。
図４に示すように、ＭＵＸ／ＤＭＵＸ部５０は、多重化器（ＭＵＸ）５１、分離器（ＤＭＵＸ）５２，５３、セレクタ（ＳＥＬ）５４、フレーム検出器５５，５６、分周器５７を備える。選択部６０は、セレクタ（ＳＥＬ）６１〜６７を備える。
【００３４】
以下の説明では、監視制御処理部９０は、装置間情報をＳＴＭ−１フレーム（同期転送モード信号）のＳＯＨに挿入された状態で送受信する第１通信形態を適用すると判断した場合に、選択部６０に対して指令Ｃ１を送出するものとする。また、監視制御処理部９０は、装置間情報をＲＦＣＯＨ内のＷＳ信号にマッピングして送受信する第２通信形態を適用すると判断した場合に、選択部６０に対して指令Ｃ２を送出するものとする。
【００３５】
選択部６０において、セレクタ６５，６３，６１は、送信時に動作するセレクタである。
セレクタ６５，６３，６１は、監視制御処理部９０から指令Ｃ１を受けた場合には、それぞれＲＳＣ処理部９２、ＯＷＥ１処理部９５、ＬＡＮ／ＷＡＮ処理部９７から入力するＲＳＣ信号、ＯＷＥ１信号、ＤＣＣ信号の出力先として、シリアルインタフェース３６を選択する。このとき、図４に示すように、シリアルインタフェース３６には、ＲＳＣ信号がＲＳＣ＿Ｘ信号とＲＳＣ＿Ｙ信号の冗長構成で出力される。一方、セレクタ６５，６３，６１は、監視制御処理部９０から指令Ｃ２を受けた場合には、それぞれに対応する信号の出力先として、ＭＵＸ／ＤＭＵＸ部５０の多重化器５１を選択する。
【００３６】
選択部６０において、セレクタ６６，６７，６４，６２は、受信時に動作するセレクタである。
セレクタ６６，６７，６４，６２は、監視制御処理部９０から指令Ｃ１を受けた場合には、それぞれに対応するＲＳＣ＿Ｘ信号、ＲＳＣ＿Ｙ信号、ＯＷＥ１信号、ＤＣＣ信号の入力先として、シリアルインタフェース３６を選択する。一方、セレクタ６６，６７，６４，６２は、監視制御処理部９０から指令Ｃ２を受けた場合には、それぞれに対応する信号の入力先として、ＭＵＸ／ＤＭＵＸ部５０のセレクタ５４を選択する。
【００３７】
多重化器５１は、送信時にセレクタ６５，６３，６１から、それぞれに対応するＲＳＣ信号、ＯＷＥ１信号、ＤＣＣ信号を受けると、これらの信号を多重化し、２０４８ＫｂｐｓのＷＳ信号（ＷＳ＿Ｘ，ＷＳ＿Ｙの冗長構成）を生成する。ＲＳＣ信号、ＯＷＥ１信号、ＤＣＣ信号のＷＳ信号に対するマッピング方法は、図２を参照して説明したとおりである。
【００３８】
受信したＷＳ信号（ＷＳ＿Ｘ，ＷＳ＿Ｙ）を処理するため、中継通信補助盤３４のクロック源７２で生成されるクロックを２．０４８ＭＨｚに分周したクロック２ＭＣＬＫ（Ｘ側、Ｙ側の冗長構成）が、中継通信補助盤３４から監視制御盤３２に対して供給される。」
フレーム検出器５６，５５は、Ｂ−Ｕ変換器８１によりユニポーラ符合に変換されたＷＳ＿Ｘ信号，ＷＳ＿Ｙ信号をそれぞれ入力し、各信号を分離器５３，５２へ出力するとともに、各信号のフレーム（図２（ａ）に示す２５６クロック相当の各フレーム）の検出を行う。そして、フレーム検出器５６，５５は、フレームが正しく検出できたか否かを示す信号であるＬＯＦ（Ｘ），ＬＯＦ（Ｙ）をフレーム単位でそれぞれセレクタ５４へ出力する。
【００３９】
分離器５３，５２は、それぞれＷＳ＿Ｘ信号，ＷＳ＿Ｙ信号を、装置間情報としてのＲＳＣ＿Ｘ信号、ＲＳＣ＿Ｙ信号、ＯＷＥ１信号、ＤＣＣ信号に分離して出力する。
セレクタ５４は、各フレーム検出器からのＬＯＦ（Ｘ），ＬＯＦ（Ｙ）に基づいて、分離器５３又は５２のいずれかの出力信号を選択する。例えば、ＷＳ＿Ｘ信号のみ正しくフレーム検出ができた場合には、分離器５３により出力された装置間信号が選択され、分離器５２の出力信号は無視される。ＷＳ＿Ｘ信号及びＷＳ＿Ｙ信号の双方のフレーム検出ができた場合に、分離器５３又は５２のいずれにより出力された装置間信号を選択するかについては予め決めておく。
【００４０】
分周器５７は、ＰＬＬ７３により位相同期されたクロックとして７９ＭＣＬＫ（例えば７９ＭＨｚのクロック）を入力し、監視制御盤３２内の各種の処理に必要な特定の周波数に分周する。
【００４１】
以上説明したように、第２実施形態の無線中継装置は、装置間情報をＳＴＭ−１フレーム（同期転送モード信号）のＳＯＨに挿入された状態で送受信する第１通信形態、又は装置間情報をＲＦＣＯＨ内のＷＳ信号にマッピングして送受信する第２通信形態、のいずれかを選択する選択部が監視制御盤内に設けられ、監視制御処理部によって選択部の選択動作を制御できるように構成される。そのため、第１通信形態で装置間情報を対向装置との間で送受信しているときに、同期転送モード信号の送受信に障害が生じた場合であっても、第２通信形態で装置間情報を送受信するように切り替えることで、装置間情報の送受信が可能な状態に復帰することができる。そのような障害が生ずる場合として、例えば、対向する無線中継装置同士の無線周波数で許容される最大偏差が生じたために、ＳＴＭ−１フレーム（同期転送モード信号）を正しく受信できない場合が考えられる。
【００４２】
（３）第３の実施形態
次に無線中継装置の第３の実施形態について、図５を参照して説明する。図５に示す無線中継装置１０ａの要部ブロック図は、図３のものと比較すると、検出部９１が追加された点で異なる。
また、この実施形態の無線中継装置では、中継通信補助盤３４（第２ユニット）が監視制御盤３２（第１ユニット）に対して着脱可能で構成されることを前提にしている。図５において、検出部９１は、中継通信補助盤３４の監視制御盤３２ａに対する装着状態を検出するために設けられる。
【００４３】
この実施形態において、監視制御処理部９０は、検出部９１からの検出結果に基づき、中継通信補助盤３４が監視制御盤３２ａに装着されていないと判定すると、装置間情報をＳＴＭ−１フレーム（同期転送モード信号）のＳＯＨに挿入された状態で送受信する第１通信形態を適用するように、選択部６０を制御する。一方、監視制御処理部９０は、検出部９１からの検出結果に基づき、中継通信補助盤３４が監視制御盤３２ａに装着されていると判定すると、装置間情報をＲＦＣＯＨ内のＷＳ信号にマッピングして送受信する第２通信形態を適用するように、選択部６０を制御する。選択部６０による選択処理は、第２の実施形態で説明したとおりである。
【００４４】
上述した検出部９１を設けることで、無線中継装置を、信頼性を維持しつつ低コスト化を図ることができる。すなわち、中継通信補助盤３４をオプション化する（監視制御盤３２ａに標準状態としては装着せず、オプションで装着可能とする）ことで、標準状態では、無線中継装置の低コスト化が実現できる一方、対向装置との間で同期転送モード信号の送受信に障害が生じた場合には、中継通信補助盤３４の装着することで、第２通信形態により装置間情報に対する信頼性の高い通信に切り替えることが可能となる。なお、監視制御盤３２ａ内において、監視制御処理部９０、ＶＦ／ＤＧＴＬ処理部９４、ＯＷＥ１処理部９５、ハブ９６を除く構成部分（図３参照）については、ＦＰＧＡ(Field Programmable Gate Array)によって実現可能であるため、選択部６０による選択処理を実現するための追加のハードウエア上のコストは抑制されうる。
【００４５】
この実施形態の無線中継装置に関連して、
（Ａ）中継通信補助盤３４が監視制御盤３２に装着されないときに、装置間情報を監視制御盤３２ａにより送受信するステップと、（Ｂ）中継通信補助盤３４が監視制御盤３２ａに装着されたことを検出部９１が検出するステップと、（Ｃ）検出部９１による検出により、装置間情報を中継通信補助盤３４により送受信するように切り替えるステップと、を備える方法が開示される。
【００４６】
（４）第４の実施形態
次に無線中継装置の第４の実施形態について、図６を参照して説明する。図６に示す無線中継装置１０ｂの要部ブロック図は、図３のものと比較すると、通信異常検出部９９が追加された点で異なる。
この通信異常検出部９９は、信号処理部２０からのＳＴＭ−１フレーム（同期転送モード信号）が正しく受信できたか否かを検出し、その検出結果を監視制御処理部９０へ通知する。監視制御処理部９０は、通信異常検出部９９からの検出結果に基づき、ＳＴＭ−１フレームが正しく受信できた（すなわち、通信異常無し）と判定すると、装置間情報をＳＴＭ−１フレーム（同期転送モード信号）のＳＯＨに挿入された状態で送受信する第１通信形態を適用するように、選択部６０を制御する。一方、監視制御処理部９０は、通信異常検出部９９からの検出結果に基づき、ＳＴＭ−１フレームが正しく受信できない（すなわち、通信異常有り）と判定すると、装置間情報をＲＦＣＯＨ内のＷＳ信号にマッピングして送受信する第２通信形態を適用するように、選択部６０を制御する。選択部６０による選択処理は、第２の実施形態で説明したとおりである。
なお、フレームの受信可否に基づく通信異常検出方法は、いかなる公知の方法を適用することができる。
【００４７】
この実施形態の無線中継装置によれば、信号処理部２０からのフレームの検出結果に応じて、監視制御盤内で自律的に通信形態（第１通信形態、第２通信形態）を切り替えることができる。
【００４８】
この実施形態の無線中継装置に関連して、
（Ｄ）ＳＴＭ−１フレーム（同期転送モード信号）が正常であるときに、装置間情報をＳＴＭ−１フレームのＳＯＨに挿入された状態で送受信するステップと、（Ｅ）ＳＴＭ−１フレームの通信異常を検出するステップと、（Ｆ）ＳＴＭ−１フレームの通信異常の検出により、装置間情報をＲＦＣＯＨに挿入された状態で送受信するように切り替えるステップと、を備える方法が開示される。
【００４９】
以上の各実施形態に関し、さらに以下の付記を開示する。
【００５０】
（付記１）
同期ディジタルハイアラーキに対応した無線中継装置であって、
対向する他の装置との間で送受信される装置間情報を、第１オーバヘッドを含む同期転送モード信号に付加される第２オーバヘッド、に多重化する多重化部と、
多重化された前記装置間情報を前記他の装置との間で送受信する送受信部と、
を備えた無線中継装置。
【００５１】
（付記２）
前記装置間情報を前記第１オーバヘッドに挿入された状態で送受信する第１通信形態、又は前記装置間情報を前記第２オーバヘッドに多重化された状態で送受信する第２通信形態、のいずれかを選択する選択部を備えたことを特徴とする、
付記１に記載された無線中継装置。
【００５２】
（付記３）
前記第１通信形態による送受信のための第１通信インタフェースを備える第１ユニットに対し、前記第２通信形態による送受信のための第２通信インタフェースを備える第２ユニットが着脱可能に設けられ、
前記選択部は、前記第２ユニットが前記第１ユニットに装着されたことが検出されたときに、前記第２通信形態を選択することを特徴とする、
付記２に記載された無線中継装置。
【００５３】
（付記４）
前記選択部は、同期転送モード信号の通信異常が検出されたときに、前記第２通信形態を選択することを特徴とする、
付記２に記載された無線中継装置。
【００５４】
（付記５）
前記装置間情報は冗長構成であることを特徴とする、
付記１に記載された無線中継装置。
【００５５】
（付記６）
同期ディジタルハイアラーキに対応した無線中継装置による通信方法であって、
対向する他の装置との間で送受信される装置間情報を、第１オーバヘッドを含む同期転送モード信号に付加される第２オーバヘッド、に多重化するステップと、
多重化された前記装置間情報を前記他の装置との間で送受信するステップと、
を備えた通信方法。
【００５６】
（付記７）
前記無線中継装置の内、前記装置間情報を前記第１オーバヘッドに挿入された状態で送受信するための第１ユニットにより、前記装置間情報を送受信するステップと、
前記無線中継装置の内、前記装置間情報を前記第２オーバヘッドに多重化された状態で送受信するための第２ユニットが前記第１ユニットに装着されたことを検出するステップと、
前記検出により、前記装置間情報を第２ユニットにより送受信するように切り替えるステップと、
を備えたことを特徴とする、付記６に記載された通信方法。
【００５７】
（付記８）
同期転送モード信号が正常であるときに、前記装置間情報を前記第１オーバヘッドに挿入された状態で送受信するステップと、
同期転送モード信号の通信異常を検出するステップと、
同期転送モード信号の通信異常の検出により、前記装置間情報を前記第２オーバヘッドに多重化された状態で送受信するように切り替えるステップと、
を備えたことを特徴とする、付記６に記載された通信方法。
【００５８】
（付記９）
前記装置間情報は冗長構成であることを特徴とする、
付記６に記載された通信方法。
【図面の簡単な説明】
【００５９】
【図１】第１の実施形態の無線中継装置を含むＳＤＨ伝送システムの概略の構成と通信方法を説明するための図。
【図２】通信信号（ＷＳ信号）の構成を示すとともに、ＷＳ信号に対する装置間情報のマッピング方法を示す図。
【図３】第２の実施形態の無線中継装置の要部を示すブロック図。
【図４】第２の実施形態の無線中継装置の監視制御部の構成例を示す図。
【図５】第３の実施形態の無線中継装置の要部を示すブロック図。
【図６】第４の実施形態の無線中継装置の要部を示すブロック図。
【図７】マスタクロック源を備えた従来のＳＤＨ伝送システムを示す図。
【図８】マスタクロック源を備えていない従来のＳＤＨ伝送システムを示す図。
【符号の説明】
【００６０】
１０…無線中継装置
２０…信号処理部
３０…監視制御部
３２…監視制御盤
３４…中継通信補助盤
【図１】
2010157883.tif 000003
【図２】
2010157883.tif 000004
【図３】
2010157883.tif 000005
【図４】
2010157883.tif 000006
【図５】
2010157883.tif 000007
【図６】
2010157883.tif 000008
【図７】
2010157883.tif 000009
【図８】
2010157883.tif 000010